【手続補正書】
【提出日】平成24年6月28日(2012.6.28)
【手続補正１】
【補正対象書類名】特許請求の範囲
【補正対象項目名】全文
【補正方法】変更
【補正の内容】
【特許請求の範囲】
【請求項１】
所定の始動条件の成立に応じて複数種類の識別情報を複数の変動表示部において変動表示させ、該複数の変動表示部のうちの先停止変動表示部における識別情報の変動表示を停止させた後に該先停止変動表示部とは異なる後停止変動表示部における識別情報の変動表示を停止させる変動表示装置を備え、該変動表示装置に特定の識別情報の組み合わせが停止されたときに遊技者にとって有利な特定遊技状態に遊技状態を制御する遊技機であって、
識別情報の変動表示が停止されるよりも前に、該識別情報の変動表示の停止後に前記特定遊技状態に制御するか否かを決定する特定決定手段と、
前記特定決定手段の決定結果に応じて、識別情報の変動表示が停止されるまでに前記変動表示装置において行われる識別情報の変動パターンを選択する手段であって、前記特定遊技状態に制御する旨が決定されているときには前記特定遊技状態に制御する旨が決定されていないときよりも高い割合でリーチ変動パターン及び再変動パターンを選択する変動パターン選択手段と、
前記変動パターン選択手段により選択された変動パターンに従って前記変動表示装置を構成する各変動表示部において識別情報を変動表示させ、前記特定決定手段の決定結果と前記変動パターン選択手段の選択した変動パターンとに応じた組み合わせの識別情報を各変動表示部に停止させる変動表示実行手段と、
前記複数の変動表示部の各々における識別情報の変動表示の停止前に、変動表示部に停止されることとなる識別情報を予告する識別情報予告手段とを備え、
前記変動表示実行手段は、
前記変動パターンとしてリーチ変動パターンが選択されたときに、前記特定の識別情報の組み合わせの一部を構成するリーチ表示態様となる識別情報を前記先停止変動表示部に停止させた後に、所定のリーチ演出を実行してから、前記後停止変動表示部に識別情報を停止させるリーチ変動表示実行手段と、
前記変動パターンとして再変動パターンが選択されたときに、識別情報の変動表示が最終的に停止される前に前記特定の識別情報の組み合わせとは異なる組み合わせの識別情報を前記複数の変動表示部に一旦停止させた後に全ての変動表示部において識別情報を再度変動表示させる再変動表示を１回または複数回実行する再変動表示実行手段とを含み、
前記識別情報予告手段は、
前記変動パターンとして再変動パターンが選択されているときには、前記再変動表示において前記先停止変動表示部に一旦停止されることとなる識別情報を予告するとともに、
前記再変動パターンが選択されているときに前記先停止変動表示部に一旦停止されることとなる識別情報を予告する確率が、前記再変動パターン以外の変動パターンが選択されているときに前記先停止変動表示部に停止されることとなる識別情報を予告する確率よりも高くなるように、前記先停止変動表示部に停止されることとなる識別情報として前記リーチ表示態様とならない識別情報を予告する非リーチ表示態様予告手段を含む
ことを特徴とする遊技機。
【請求項２】
所定の始動条件の成立に応じて複数種類の識別情報を複数の変動表示部において変動表示させ、該複数の変動表示部のうちの先停止変動表示部における識別情報の変動表示を停止させた後に該先停止変動表示部とは異なる後停止変動表示部における識別情報の変動表示を停止させる変動表示装置を備え、該変動表示装置に特定の識別情報の組み合わせが停止されたときに遊技者にとって有利な特定遊技状態に遊技状態を制御する遊技機であって、
識別情報の変動表示が停止されるよりも前に、該識別情報の変動表示の停止後に前記特定遊技状態に制御するか否かを決定する手段であって、前記特定遊技結果として所定期間に亘って制御される第１特定遊技状態と、該第１特定遊技状態よりも長期間に亘って制御される第２特定遊技状態との何れとするかを決定する特定決定手段と、
前記第１特定遊技状態が終了した後に、前記特定遊技状態とは異なる遊技者にとって有利な特別遊技状態に遊技状態を制御する特別遊技状態制御手段と、
前記特定決定手段の決定結果に応じて、識別情報の変動表示が停止されるまでに前記変動表示装置において行われる識別情報の変動パターンを選択する手段であって、前記第２特定遊技状態に制御する旨が決定されているときには前記第２特定遊技状態に制御する旨が決定されていないときよりも高い割合でリーチ変動パターンを選択する変動パターン選択手段と、
前記変動パターン選択手段により選択された変動パターンに従って前記変動表示装置を構成する各変動表示部において識別情報を変動表示させ、前記特定決定手段の決定結果と前記変動パターン選択手段の選択した変動パターンとに応じた組み合わせの識別情報を各変動表示部に停止させる手段であって、前記第１特定遊技状態に制御する旨が決定されているときには、前記特定の識別情報の組み合わせとは異なる組み合わせの識別情報を停止させる変動表示実行手段と、
前記複数の変動表示部の各々における識別情報の変動表示の停止前に、変動表示部に停止されることとなる識別情報を予告する識別情報予告手段とを備え、
前記変動表示実行手段は、前記変動パターンとしてリーチ変動パターンが選択されたときに、前記特定の識別情報の組み合わせの一部を構成するリーチ表示態様となる識別情報を前記先停止変動表示部に停止させた後に、所定のリーチ演出を実行してから、前記後停止変動表示部に識別情報を停止させるリーチ変動表示実行手段を含み、
前記識別情報予告手段は、前記第１特定遊技状態に制御する旨が決定されているときに前記先停止変動表示部に停止されることとなる識別情報を予告する確率が、前記特定遊技状態に制御する旨が決定されていないときに前記先停止変動表示部に停止されることとなる識別情報を予告する確率よりも高くなるように、前記先停止変動表示部に停止されることとなる識別情報として前記リーチ表示態様とならない識別情報を予告する非リーチ表示態様予告手段を含む
ことを特徴とする遊技機。
【手続補正２】
【補正対象書類名】明細書
【補正対象項目名】００１０
【補正方法】変更
【補正の内容】
【００１０】
上記目的を達成するため、本発明の第１の観点にかかる遊技機は、
所定の始動条件の成立に応じて複数種類の識別情報を複数の変動表示部（飾り図柄表示領域９ａ〜９ｃ）において変動表示させ、該複数の変動表示部のうちの先停止変動表示部（左と右の飾り図柄表示領域９ａ、９ｃ）における識別情報の変動表示を停止させた後に該先停止変動表示部とは異なる後停止変動表示部（中の飾り図柄表示領域９ｂ）における識別情報の変動表示を停止させる変動表示装置（可変表示装置９）を備え、該変動表示装置に特定の識別情報の組み合わせが停止されたときに遊技者にとって有利な特定遊技状態（第１大当たり遊技状態）に遊技状態を制御する遊技機（パチンコ遊技機１）であって、
識別情報の変動表示が停止されるよりも前に、該識別情報の変動表示の停止後に前記特定遊技状態に制御するか否かを決定する特定決定手段（ＣＰＵ５６：大当たり抽選、大当たり種別抽選）と、
前記特定決定手段の決定結果に応じて、識別情報の変動表示が停止されるまでに前記変動表示装置において行われる識別情報の変動パターンを選択する手段であって、前記特定遊技状態に制御する旨が決定されているときには前記特定遊技状態に制御する旨が決定されていないときよりも高い割合でリーチ変動パターン（ノーマルリーチ、スーパーリーチ）及び再変動パターン（疑似連）を選択する変動パターン選択手段（ＣＰＵ５６：変動パターンの決定）と、
前記変動パターン選択手段により選択された変動パターンに従って前記変動表示装置を構成する各変動表示部において識別情報を変動表示させ、前記特定決定手段の決定結果と前記変動パターン選択手段の選択した変動パターンとに応じた組み合わせの識別情報を各変動表示部に停止させる変動表示実行手段（表示制御基板８０の表示制御用ＣＰＵ：飾り図柄の変動表示の実行）と、
前記複数の変動表示部の各々における識別情報の変動表示の停止前に、変動表示部に停止されることとなる識別情報を予告する識別情報予告手段（表示制御基板８０の表示制御用ＣＰＵ：停止図柄予告）とを備え、
前記変動表示実行手段は、
前記変動パターンとしてリーチ変動パターンが選択されたときに、前記特定の識別情報の組み合わせの一部を構成するリーチ表示態様となる識別情報を前記先停止変動表示部に停止させた後に、所定のリーチ演出を実行してから、前記後停止変動表示部に識別情報を停止させるリーチ変動表示実行手段と、
前記変動パターンとして再変動パターンが選択されたときに、識別情報の変動表示が最終的に停止される前に前記特定の識別情報の組み合わせとは異なる組み合わせの識別情報を前記複数の変動表示部に一旦停止させた後に全ての変動表示部において識別情報を再度変動表示させる再変動表示を１回または複数回実行する再変動表示実行手段とを含み、
前記識別情報予告手段は、
前記変動パターンとして再変動パターンが選択されているときには、前記再変動表示において前記先停止変動表示部に一旦停止されることとなる識別情報を予告する（疑似連の変動パターンでは、１回目の仮停止の際に左と右の飾り図柄表示領域９ａ、９ｃに停止される飾り図柄の種類を予告）とともに、
前記再変動パターンが選択されているときに前記先停止変動表示部に一旦停止されることとなる識別情報を予告する確率が、前記再変動パターン以外の変動パターンが選択されているときに前記先停止変動表示部に停止されることとなる識別情報を予告する確率よりも高くなるように、前記先停止変動表示部に停止されることとなる識別情報として前記リーチ表示態様とならない識別情報を予告する非リーチ表示態様予告手段（図５（ａ））を含む
ことを特徴とする。
【手続補正３】
【補正対象書類名】明細書
【補正対象項目名】００１１
【補正方法】変更
【補正の内容】
【００１１】
上記第１の観点にかかる遊技機では、遊技者にとって有利な特定遊技状態に制御する旨が決定されているときには、複数の変動表示部に特定の識別情報の組み合わせが停止される。つまり、複数の変動表示部に停止された識別情報の組み合わせが特定の識別情報の組み合わせとなると、特定遊技状態に制御されることとなる。複数の変動表示部における識別情報の変動表示が一斉に停止されるのではなく、先停止変動表示部における識別情報の変動表示が停止された後に後停止変動表示部における識別情報の変動表示が停止されることとなる。また、各変動表示部における識別情報の変動表示の停止前に、変動表示部に停止される識別情報が予告されることがある。先に識別情報の変動表示が停止される先停止変動表示部については、該先停止変動表示部における識別情報の変動表示の停止前に、該先停止変動表示部に停止されることとなる識別情報が予告されることになる。
【手続補正４】
【補正対象書類名】明細書
【補正対象項目名】００１２
【補正方法】変更
【補正の内容】
【００１２】
ここで、先停止変動表示部における識別情報の変動表示が停止される前に予告された識別情報がリーチ表示態様とならない識別情報であると、遊技者は、当該識別情報の変動表示においてリーチ表示態様が表示されることが期待できなくなるばかりでなく、複数の変動表示部において識別情報が停止されたときの識別情報の組み合わせが、特定の識別情報の組み合わせとなることも期待できなくなる（予告された識別情報の通りにリーチ表示態様が表示されないものとすると、後停止変動表示部に如何なる識別情報が停止されようとも、特定の識別情報の組み合わせとはならないので）。
【手続補正５】
【補正対象書類名】明細書
【補正対象項目名】００１３
【補正方法】変更
【補正の内容】
【００１３】
もっとも、上記第１の観点にかかる遊技機での変動パターンとしては、特定の識別情報の組み合わせとは異なる組み合わせの識別情報を複数の変動表示部とに一旦停止させた後に全ての変動表示部において識別情報を再度変動表示させる再変動表示を実行させる再変動パターンが選択されることもある。この場合は、特定の識別情報の組み合わせで識別情報が一旦停止されなくても、最終的には特定の識別情報の組み合わせで識別情報の変動表示が停止されることがある。そして、このような再変動パターンが選択されている場合には、先停止変動表示部に最終的に停止されることとなる識別情報ではなく、全ての変動表示部において識別情報が再度変動表示される前に先停止変動表示部に一旦停止されることとなる識別情報（リーチ表示態様とならない識別情報）が予告されることもある。
【手続補正６】
【補正対象書類名】明細書
【補正対象項目名】００１４
【補正方法】変更
【補正の内容】
【００１４】
このため、識別情報予告手段によりリーチ表示態様とならない識別情報が予告されても、この予告が行われた時点では、未だ再変動パターンが選択されていること（すなわち、最終的に特定の識別情報の組み合わせとなる可能性があること）を遊技者が十分に期待できるので、遊技者の期待感を減退させることがない。しかも、再変動パターンが選択されているときにリーチ表示態様とならない識別情報が予告される確率は、再変動パターン以外の変動パターンが選択されているときにリーチ表示態様とならない識別情報が予告される確率よりも高いので、リーチ表示態様とならない識別情報の予告は、遊技者にむしろ再変動パターンが選択されていることを期待させることになり、遊技の興趣を向上させることができる。
【手続補正７】
【補正対象書類名】明細書
【補正対象項目名】００１５
【補正方法】変更
【補正の内容】
【００１５】
なお、前記識別情報予告手段は、前記先停止変動表示部が２以上の変動表示部によって構成される場合に、該２以上の先停止変動表示部の全てにおいて未だ識別情報の変動表示が停止する前に、該先停止変動表示部の全てに停止されることとなる識別情報を予告するものとしてもよい。或いは、前記識別情報予告手段は、前記２以上の先停止変動表示部の一部において識別情報の変動表示が停止した後、他の一部において識別情報の変動表示が停止する前に、未だ識別情報の変動表示が停止していない他の一部の先停止変動表示部に停止されることとなる識別情報を予告するものとしてもよい。後述する第２の観点にかかる遊技機についても、同様である。
【手続補正８】
【補正対象書類名】明細書
【補正対象項目名】００２０
【補正方法】変更
【補正の内容】
【００２０】
上記目的を達成するため、本発明の第２の観点にかかる遊技機は、
所定の始動条件の成立に応じて複数種類の識別情報を複数の変動表示部（飾り図柄表示領域９ａ〜９ｃ）において変動表示させ、該複数の変動表示部のうちの先停止変動表示部（左と右の飾り図柄表示領域９ａ、９ｃ）における識別情報の変動表示を停止させた後に該先停止変動表示部とは異なる後停止変動表示部（中の飾り図柄表示領域９ｂ）における識別情報の変動表示を停止させる変動表示装置（可変表示装置９）を備え、該変動表示装置に特定の識別情報の組み合わせが停止されたときに遊技者にとって有利な特定遊技状態（第１大当たり遊技状態）に遊技状態を制御する遊技機（パチンコ遊技機１）であって、
識別情報の変動表示が停止されるよりも前に、該識別情報の変動表示の停止後に前記特定遊技状態に制御するか否かを決定する手段であって、前記特定遊技結果として所定期間に亘って制御される第１特定遊技状態（第２大当たり遊技状態）と、該第１特定遊技状態よりも長期間に亘って制御される第２特定遊技状態（第１大当たり遊技状態）との何れとするかを決定する特定決定手段（ＣＰＵ５６：大当たり抽選、大当たり種別抽選）と、
前記第１特定遊技状態が終了した後に、前記特定遊技状態とは異なる遊技者にとって有利な特別遊技状態に遊技状態を制御する特別遊技状態制御手段（ＣＰＵ５６：突確大当たりの発生に基づく第２大当たり遊技状態が終了した後に、確率変動状態に制御）と、
前記特定決定手段の決定結果に応じて、識別情報の変動表示が停止されるまでに前記変動表示装置において行われる識別情報の変動パターンを選択する手段であって、前記第２特定遊技状態に制御する旨が決定されているときには前記第２特定遊技状態に制御する旨が決定されていないときよりも高い割合でリーチ変動パターン（ノーマルリーチ、スーパーリーチ）を選択する変動パターン選択手段（ＣＰＵ５６：変動パターンの決定）と、
前記変動パターン選択手段により選択された変動パターンに従って前記変動表示装置を構成する各変動表示部において識別情報を変動表示させ、前記特定決定手段の決定結果と前記変動パターン選択手段の選択した変動パターンとに応じた組み合わせの識別情報を各変動表示部に停止させる手段であって、前記第１特定遊技状態に制御する旨が決定されているときには、前記特定の識別情報の組み合わせとは異なる組み合わせの識別情報（突確大当たりが決定されたときの飾り図柄の変動パターンは非リーチハズレと同じで、リーチとならずにハズレの結果が表示される）を停止させる変動表示実行手段（表示制御基板８０の表示制御用ＣＰＵ：飾り図柄の変動表示の実行）と、
前記複数の変動表示部の各々における識別情報の変動表示の停止前に、変動表示部に停止されることとなる識別情報を予告する識別情報予告手段（表示制御基板８０の表示制御用ＣＰＵ：停止図柄予告）とを備え、
前記変動表示実行手段は、前記変動パターンとしてリーチ変動パターンが選択されたときに、前記特定の識別情報の組み合わせの一部を構成するリーチ表示態様となる識別情報を前記先停止変動表示部に停止させた後に、所定のリーチ演出を実行してから、前記後停止変動表示部に識別情報を停止させるリーチ変動表示実行手段を含み、
前記識別情報予告手段は、前記第１特定遊技状態に制御する旨が決定されているときに前記先停止変動表示部に停止されることとなる識別情報を予告する確率が、前記特定遊技状態に制御する旨が決定されていないときに前記先停止変動表示部に停止されることとなる識別情報を予告する確率よりも高くなるように、前記先停止変動表示部に停止されることとなる識別情報として前記リーチ表示態様とならない識別情報を予告する非リーチ表示態様予告手段（図５（ａ））を含む
ことを特徴とする。
【手続補正９】
【補正対象書類名】明細書
【補正対象項目名】００２２
【補正方法】変更
【補正の内容】
【００２２】
上記第２の観点にかかる遊技機では、特定遊技状態のうちでも特に遊技者にとって有利な第２特定遊技状態に制御する旨が決定されているときには、複数の変動表示部に特定の識別情報の組み合わせが停止される。つまり、複数の変動表示部に停止された識別情報の組み合わせが特定の識別情報の組み合わせとなると、第２特定遊技状態に制御されることとなる。複数の変動表示部における識別情報の変動表示が一斉に停止されるのではなく、先停止変動表示部における識別情報の変動表示が停止された後に後停止変動表示部における識別情報の変動表示が停止されることとなる。また、各変動表示部における識別情報の変動表示の停止前に、変動表示部に停止される識別情報が予告されることがある。先に識別情報の変動表示が停止される先停止変動表示部については、該先停止変動表示部における識別情報の変動表示の停止前に、該先停止変動表示部に停止されることとなる識別情報が予告されることになる。
【手続補正１０】
【補正対象書類名】明細書
【補正対象項目名】００２３
【補正方法】変更
【補正の内容】
【００２３】
ここで、先停止変動表示部における識別情報の変動表示が停止される前に予告された識別情報がリーチ表示態様とならない識別情報であると、遊技者は、当該識別情報の変動表示においてリーチ表示態様が表示されることが期待できなくなるばかりでなく、複数の変動表示部において識別情報が停止されたときの識別情報の組み合わせが、特定の識別情報の組み合わせとなることも期待できなくなる（予告された識別情報の通りにリーチ表示態様が表示されないものとすると、後停止変動表示部に如何なる識別情報が停止されようとも、特定の識別情報の組み合わせとはならないので）。
【手続補正１１】
【補正対象書類名】明細書
【補正対象項目名】００３２
【補正方法】変更
【補正の内容】
【００３２】
上記第１、第２の観点にかかる遊技機は、
前記始動条件が成立したときに、所定の数値範囲内で所定の数値データを更新する数値データ更新手段から、該成立した始動条件に基づく識別情報の変動表示の停止後に前記特定遊技状態に制御するか否かを前記特定決定手段が決定するための特定決定用数値データ（大当たり判定用乱数、大当たり種別判定用乱数）と、前記変動パターン選択手段が変動パターンを選択するための変動パターン決定用数値データ（変動種別判定用乱数）とを含む数値データを抽出する数値データ抽出手段（ＣＰＵ５６、表示制御基板８０の表示制御用ＣＰＵ）と、
前記数値データ抽出手段により抽出された数値データを、所定の上限数を限度として、当該数値データに基づく識別情報の変動表示が実行されるまで保留記憶として記憶する保留記憶手段（ＲＡＭ５５の保留記憶バッファ）と、
前記識別情報予告手段は、前記保留記憶手段に記憶された数値データに従って、該数値データに基づく識別情報の変動表示の実行が開始されるよりも前に実行される識別情報の変動表示の停止前に、各変動表示部に停止されることとなる識別情報を予告する先識別情報予告手段（表示制御基板８０の表示制御用ＣＰＵ：先読み停止図柄予告（図５（ｂ）））をさらに含むものとすることができる。
【手続補正１２】
【補正対象書類名】明細書
【補正対象項目名】００３３
【補正方法】変更
【補正の内容】
【００３３】
この時点では、現時点で未だ実行されていない識別情報の変動表示の停止前に、各変動表示部に停止されることとなる識別情報が予告されることとなるので、現在実行中の識別情報の変動表示よりも先に実行される識別情報の変動表示にまで遊技者の関心を向けさせることができ、遊技の興趣を向上させることができる。また、先識別情報予告手段により予告されたの識別情報とは異なる識別情報が先停止変動表示部に停止されることで、保留記憶に基づいて実行される識別情報の変動表示に対する期待感（再変動パターンである期待感や第１特定遊技状態を経て特別遊技状態に制御されることになる期待感）を遊技者に与えることができ、遊技の興趣を向上させることができる。
【手続補正１３】
【補正対象書類名】明細書
【補正対象項目名】００３４
【補正方法】変更
【補正の内容】
【００３４】
ここで、上記第１の観点にかかる遊技機の場合は、
前記数値データ抽出手段は、前記変動パターン選択手段が変動パターンを選択するための変動パターン決定用数値データ（変動種別判定用乱数）を含む数値データを抽出し、
前記事前決定手段は、前記識別情報の開始条件が成立したときに、前記特定決定用数値データに基づいて、前記特定遊技状態に制御するか否かを決定し（大当たり抽選は、特別図柄表示器１０ａ、１０ｂにおける特別図柄の変動表示の開始条件が成立したときに行われる）、
前記変動パターン決定手段は、前記事前決定手段の決定結果と、識別情報の変動表示の開始条件が成立したときに前記保留記憶手段に記憶されている保留記憶の数と、前記数値データ抽出手段により抽出された前記変動パターン決定用数値データの値と、前記変動パターン記憶手段に記憶されている複数種類の変動パターンに対応した判定値とに基づいて、前記変動パターンを決定し（図４：ハズレ変動パターンを選択する乱数の範囲は、変動表示の開始時の保留記憶数が２以下か３以上かで異なる）、
前記再変動パターンに対応した判定値は、識別情報の変動表示の開始条件が成立したときに前記保留記憶手段に記憶されている保留記憶の数に関わらずに、同一判定値が設定され（疑似連の変動パターンを選択する乱数の範囲は、保留記憶数が２以下のときも３以上のときも同じ（図４））、
前記再変動パターンと異なる非再変動パターンに対応した判定値は、識別情報の変動表示の開始条件が成立したときに前記保留記憶手段に記憶されている保留記憶の数に応じて異なる判定値が設定されたものとすることができる（非リーチハズレ、ノーマルリーチハズレの変動パターンを選択する乱数の範囲は、保留記憶数が２以下のときと３以上のときとで異なる（図４））。
この場合において、上記遊技機は、
前記変動パターン決定手段による決定前に、前記数値データ抽出手段により抽出された前記特定決定用数値データの値と前記変動パターン決定用数値データの値とに基づいて、前記再変動パターンとなるか否かを判定する開始前判定手段（始動入賞コマンドを解析すれば、確率変動大当たり、確変昇格大当たり、または時短大当たり、若しくは突然確変大当たりとなることは判断することができ、さらに詳細な変動パターンまでは判断できないものの、少なくとも疑似連１回、疑似連２回、疑似連３回、疑似連４回の種別に属する変動パターンとなるかどうかだけは判断することができる）をさらに備え、
前記先識別情報予告手段は、前記開始前判定手段により前記再変動パターンとなると判定されたか否かに応じて、前記先停止変動表示部に停止されることとなる識別情報の予告を行うものとしてもよい（先読み停止図柄予告は、保留記憶中に疑似連の変動パターンとなるものが含まれているか、保留記憶中に突然確変大当たりとなるものが含まれているか、保留記憶中に疑似連の変動パターンとなるものも突然確変大当たりとなるものも含まれていないかという区分に従って決定される）。
【手続補正１４】
【補正対象書類名】明細書
【補正対象項目名】００３６
【補正方法】変更
【補正の内容】
【００３６】
また、各回の識別情報の変動表示について実際に決定される変動パターンは、当該識別情報の変動表示の開始条件が成立したときの保留記憶の数に応じて決定されるが、再変動パターンは、識別情報の変動表示の開始条件が成立したときの保留記憶の数が幾つになっていても、同じように選択されるものとなっている。このため、始動条件が成立したときに、当該成立した始動条件に対応する識別情報の変動表示の開始条件が成立するときの保留記憶の数が確定していなくても、再変動パターンとなることだけは特定することができるものとなる。